(57)【要約】【課題】カラーフィルタの位置がずれてもカラーフィルタ非形成領域の総面積の変化を最小限にし、色再現性がよく高精細かつ高開口率の液晶表示装置を提供する。【解決手段】一画素の中において観察者によって視認可能な点灯領域内に、カラーフィルタ形成領域とカラーフィルタ非形成領域とを備え、前記一画素の中において、前記点灯領域の第１の辺は前記カラーフィルタ形成領域と前記カラーフィルタ非形成領域の両方を有し、かつ、前記点灯領域の第１の辺に対向する第２の辺は前記カラーフィルタ形成領域と前記カラーフィルタ非形成領域の両方を有し、前記第１の辺は、前記第２の辺の前記カラーフィルタ形成領域に対向する領域では前記カラーフィルタ非形成領域となっており、前記第２の辺は、前記第１の辺の前記カラーフィルタ形成領域と対向する領域では前記カラーフィルタ非形成領域となっている。【選択図】                図１
2004286787.tif 000002
【特許請求の範囲】
【請求項１】
一対の基板と、
前記一対の基板の間に挟持された液晶層と、
マトリクス配置された多数の画素と、
カラーフィルタとを備えた液晶表示装置であって、
一画素の中において観察者によって視認可能な点灯領域内に、カラーフィルタ形成領域とカラーフィルタ非形成領域とを備え、
前記一画素の中において、前記点灯領域の第１の辺は前記カラーフィルタ形成領域と前記カラーフィルタ非形成領域の両方を有し、かつ、前記点灯領域の第１の辺に対向する第２の辺は前記カラーフィルタ形成領域と前記カラーフィルタ非形成領域の両方を有し、
前記第１の辺は、前記第２の辺の前記カラーフィルタ形成領域に対向する領域では前記カラーフィルタ非形成領域となっており、
前記第２の辺は、前記第１の辺の前記カラーフィルタ形成領域と対向する領域では前記カラーフィルタ非形成領域となっていることを特徴とする液晶表示装置。
【請求項２】
前記カラーフィルタは、前記カラーフィルタ形成領域と前記カラーフィルタ非形成領域とが入れ替わる部分において、前記第１の辺及び前記第２の辺のそれぞれと斜めに交差する形状を有することを特徴とする請求項１に記載の液晶表示装置。
【請求項３】
前記一画素の中において、前記第１の辺及び前記第２の辺の互いに対向する部分同士が共に前記カラーフィルタ非形成領域となっている領域を少なくとも一部有することを特徴とする請求項１または２に記載の液晶表示装置。
【請求項４】
前記点灯領域は画素電極の形成領域であることを特徴とする請求項１から３の何れかに記載の液晶表示装置。
【請求項５】
前記点灯領域がブラックマトリクスの開口領域であることを特徴とする請求項１から３の何れかに記載の液晶表示装置。
【請求項６】
前記カラーフィルタが形成されている基板と同じ基板にブラックマトリクスを有することを特徴とする請求項１から３の何れかに記載の液晶表示装置。
【請求項７】
前記カラーフィルタが形成されている基板に対向する基板にブラックマトリクスを有することを特徴とする請求項１から３の何れかに記載の液晶表示装置。
【請求項８】
前記カラーフィルタが形成されている基板と同じ基板に、前記画素を選択するためのスイッチング素子を有することを特徴とする請求項１から３の何れかに記載の液晶表示装置。
【請求項９】
前記カラーフィルタが形成されている基板に対向する基板に、前記画素を選択のためのスイッチング素子を有することを特徴とする請求項１から３の何れかに記載の液晶表示装置。
【請求項１０】
前記カラーフィルタが形成されている基板には、前記画素を選択するためのスイッチング素子と、該スイッチング素子を介して電圧が供給される画素電極と、少なくとも隣り合う前記画素同士の間を遮光するブラックマトリクスとが形成されていることを特徴とする請求項１から３の何れかに記載の液晶表示装置。
【請求項１１】
前記カラーフィルタが形成されている基板には、前記画素を選択するためのスイッチング素子と、該スイッチング素子を介して電圧が供給される画素電極と、少なくとも隣り合う前記画素同士の間を遮光するブラックマトリクスとが形成されていることを特徴とする請求項１から３の何れかに記載の液晶表示装置。
【請求項１２】
前記カラーフィルタが形成されている基板には、少なくとも隣り合う前記画素同士の間を遮光するブラックマトリクスを有し、
前記カラーフィルタが形成されている基板に対向する基板には、前記画素を選択するためのスイッチング素子と、該スイッチング素子を介して電圧が供給される画素電極とを有することを特徴とする請求項１から３の何れかに記載の液晶表示装置。
【請求項１３】
透過型の表示を行うことを特徴とする請求項１から３の何れかに記載の液晶表示装置。
【請求項１４】
反射型の表示を行うことを特徴とする請求項１から３の何れかに記載の液晶表示装置。
【請求項１５】
透過型の表示と反射型の表示の両方を行うことを特徴とする請求項１から３の何れかに記載の液晶表示装置。
【発明の詳細な説明】
【０００１】
【発明の属する技術分野】
本発明は、液晶表示装置に係り、特に一画素の中で観察者によって視認可能な点灯領域内にカラーフィルタ形成領域とカラーフィルタ非形成領域とを備えた液晶表示装置に関する。
【０００２】
【従来の技術】
液晶表示装置は、薄型で軽量、低消費電力であることから、ノート型パソコン、ワードプロセッサ、電子手帳、携帯電話機、カメラ一体型ビデオレコーダ等、広範囲の電子機器の表示装置として使用されている。この液晶表示装置は、ブラウン管やプラズマディスプレイ装置と異なり、それ自体が発光するのではなく、外部から入射した光の光量を制御して画像等を表示するものである。また、光制御素子として複数色のカラーフィルタを具備させることで多色のカラー画像表示が可能となる。現在最も一般的に用いられている液晶表示装置は、蛍光管や発光ダイオード等を用いたバックライトと称する照明光源を背面に設置し、バックライトが発光する光が液晶表示装置を透過する量を制御して画像を表示する構成とした、所謂透過型の液晶表示装置である。
【０００３】
しかし、この透過型の液晶表示装置では、バックライトによる電力消費が全消費電力の約半分を占め、前記した携帯型の電子機器が電池駆動の場合、その使用時間を短縮する大きな要因となっている。また、透過型の液晶表示装置は、明るい屋外等で使用する場合には表示領域の表面で外光が反射し、このため表示画像の識別が著しく困難になる。
【０００４】
屋外等の明るい環境で常時携帯して使用するものとしては、通常、バックライトを用いずに、反射膜を具備して周囲からの外光の反射光を液晶層で制御する、所謂反射型の液晶表示装置がある。他には、半透過反射膜を用いて、透過型表示と反射型表示を行うようにした半透過反射型（部分透過型とも言う）の液晶表示装置が知られている。他には、明るさを向上させるため、カラーフィルタに開口を設けたものが知られている。
【０００５】
図９は従来の液晶表示装置の一画素付近の構成を説明する模式図であり、図９（ａ）は平面図、図９（ｂ）は図９（ａ）のＡ−Ａ’線に沿った断面図、図９（ｃ）は図９（ａ）のＢ−Ｂ’線に沿った断面図を示す。この液晶表示装置はマトリクス配置された多数の画素を有し、一対の基板の何れかの基板に複数色のカラーフィルタを有している。そして、前記一対の基板の貼り合わせ間隙に液晶層（図示せず）が挟持されている。図９はカラーフィルタを形成した一方の基板のみを示しており、この一方の基板ＳＵＢ１上に遮光膜（ブラックマトリクス）ＢＭ、カラーフィルタＣＦ、オーバーコート層ＯＣがこの順で形成されている。
【０００６】
また、画素のコントラストを向上するための遮光膜（所謂、ブラックマトリクス）ＢＭの内側に、一画素の中で観察者によって視認可能な点灯領域ＢＡを形成している。そして、点灯領域ＢＡ内には、カラーフィルタ形成領域ＣＦＡとカラーフィルタ非形成領域ＣＦＮとなるカラーフィルタＣＦの開口部が形成されている。
【０００７】
なお、本明細書の記載において、「一画素の中で観察者によって視認可能な点灯領域」とは、画素領域内で観察者から見た時に実質的に表示に寄与している部分を指す。例えば、観察者から見たときに遮光膜で画素領域が覆われている場合は遮光膜の開口領域が点灯領域に相当する。遮光膜がない場合は画素電極が形成されている領域が点灯領域に相当する。但し、横電界方式（ＩＰＳ方式）の場合は画素電極の形成領域だけでなく、その周囲の横電界により液晶が駆動されて表示に寄与している部分も含む。反射型や部分透過型などで遮光膜があっても反射電極などにより隠されている場合は、反射電極のある領域よりも内側が点灯領域に相当する。尚、部分透過型の場合は、反射電極の開口部である透過領域もこの点灯領域に含まれる。
【０００８】
カラーフィルタ形成領域とカラーフィルタ非形成領域を設けた他の従来技術として、反射型液晶表示装置の遮光部の開口部の片側にのみカラーフィルタを設けたもの（「特許文献１」）、や反射型あるいは部分透過型においてカラーフィルタを有する一方の基板と他方の基板の合わせずれ（位置ずれ）を考慮してカラーフィルタ非形成領域を設けたもの（「特許文献２」）を挙げることができる。
【０００９】
図１０は特許文献１に開示された従来の反射型液晶表示装置の画素構造を説明する模式平面図である。図１０に示したように、この反射型の液晶表示装置では、遮光膜ＢＭの開口部（点灯領域ＢＡに相当）の片側のみにカラーフィルタＣＦを形成し、点灯領域ＢＡ（開口部）をカラーフィルタ形成領域ＣＦＡとカラーフィルタ非形成領域ＣＦＮに分けている。この構造では、カラーフィルタ非形成領域ＣＦＮにより輝度が向上するという効果を有する。
【００１０】
また、特許文献１には、カラーフィルタＣＦの位置ずれを考慮して、点灯領域ＢＡの図の左右両端を覆ってカラーフィルタＣＦを形成し、該点灯領域ＢＡの中央などにカラーフィルタ非形成領域ＣＦＮとなるカラーフィルタ開口を設けたものも開示されている。これは、考え方としては図９とほぼ同じである。
【００１１】
図１１は特許文献２に開示された従来の液晶表示装置の他の画素構造を説明する模式平面図である。図１１では、反射型または部分透過型の液晶表示装置において、一画素内にカラーフィルタ非形成領域ＣＦＮを設ける際に、カラーフィルタＣＦの合わせずれを考慮したものであり、点灯領域ＢＡよりも幅の狭いカラーフィルタＣＦを中央に形成し、該点灯領域ＢＡの中央をカラーフィルタ形成領域ＣＦＡとし、左右両端をカラーフィルタ非形成領域ＣＦＮとしている。この場合、カラーフィルタＣＦの合わせずれがあっても、カラーフィルタ非形成領域ＣＦＮの総面積は一定になる。
【００１２】
図１２は特許文献２に開示された従来の液晶表示装置のさらに他の画素構造を説明する模式平面図である。この液晶表示装置では、カラーフィルタＣＦを十字形とし、カラーフィルタ非形成領域ＣＦＮを四隅に配置している。この場合も、カラーフィルタＣＦの合わせずれがあってもカラーフィルタ非形成領域ＣＦＮの総面積は一定になる。
【００１３】
【特許文献１】
特開平１０−２８８７０６号公報
【特許文献２】
特開２０００−２９０１２号公報
【００１４】
【発明が解決しようとする課題】
しかし、上記従来技術においては次のような問題がある。すなわち、図１０に示した液晶表示装置では、カラーフィルタＣＦの合わせずれがあった場合に、一画素内のカラーフィルタ非形成領域ＣＦＮの総面積が変化してしまい、所望の輝度が得られない。
【００１５】
図１１に示した液晶表示装置では、カラーフィルタＣＦの合わせずれがあったとしても、カラーフィルタ非形成領域ＣＦＮの総面積を一定に保つことはできるものの、カラーフィルタ非形成領域ＣＦＮを図の左右（水平方向）両端の全部に配置しているので、高精細化のために画素を小さくした場合や、部分透過型とするために反射電極に開口部を形成した場合には反射領域が小さくなるため、点灯領域ＢＡの面積に対するカラーフィルタ非形成領域ＣＦＮの面積の割合が相対的に大きくなり、表示画面が明るくなり過ぎる。カラーフィルタ非形成領域ＣＦＮの幅を小さくできればこれを解決できるが、合わせずれを考慮するとそれにも限界がある。
【００１６】
また、図１２に示されたように、カラーフィルタ部ＣＦを十字形に形成すれば画面が明るくなり過ぎるのを抑えることは可能である。しかし、この場合にはカラーフィルタＣＦに点灯領域ＢＡからはみ出た部分が生じる。隣り合うカラーフィルタＣＦ同士はそれぞれ色が異なるのが通常であり、その形成も別々に行うのが通常である。カラーフィルタＣＦ形成の際にも、合わせずれが存在するため、その精度を考慮してマージンを確保すると隣り合うカラーフィルタＣＦ同士の間隔をつめるのにも限界があり、画素の高精細化は困難である。
【００１７】
また、図９に示したように点灯領域ＢＡの中央にカラーフィルタ非形成領域ＣＦＮを配置した場合、カラーフィルタＣＦの位置がずれてもカラーフィルタ非形成領域ＣＦＮの総面積を一定に保つことができる。しかし、カラーフィルタＣＦと遮光膜ＢＭとの間の合わせずれを考慮して、隣り合う点灯領域ＢＡ間の幅（遮光膜ＢＭの幅）ｂを広くする必要があり、高開口率化、あるいは高精細化が困難である。この場合、隣り合う点灯領域ＢＡ間の幅（遮光膜ＢＭの幅）ｂは、隣り合うカラーフィルタＣＦ同士の間隔ａに、カラーフィルタＣＦと遮光膜ＢＭとの間の合わせずれマージン分の幅を加えた幅としなければならない。
【００１８】
本発明の目的は、上記従来技術の課題を解消して、点灯領域内のカラーフィルタ非形成領域の大きさを大きくしすぎることなく、カラーフィルタの位置がずれても点灯領域内におけるカラーフィルタ非形成領域の総面積の変動を最小限にでき、隣り合う点灯領域同士の間隔をつめることができる（例えば、画素間に遮光膜を形成する場合でも幅狭の遮光膜で済む）、高精細かつ高開口率を実現した液晶表示装置を提供することにある。
【００１９】
【課題を解決するための手段】
上記課題を解消するために、本発明の液晶表示装置は、カラーフィルタの形状を工夫した。本発明の代表的な構成の例を以下に列記する。
【００２０】
（１）、一対の基板と、
前記一対の基板の間に挟持された液晶層と、
マトリクス配置された多数の画素と、
カラーフィルタとを備えた液晶表示装置であって、
一画素の中において観察者によって視認可能な点灯領域内に、カラーフィルタ形成領域とカラーフィルタ非形成領域とを備え、
前記一画素の中において、前記点灯領域の第１の辺は前記カラーフィルタ形成領域と前記カラーフィルタ非形成領域の両方を有し、かつ、前記点灯領域の第１の辺に対向する第２の辺は前記カラーフィルタ形成領域と前記カラーフィルタ非形成領域の両方を有し、
前記第１の辺は、前記第２の辺の前記カラーフィルタ形成領域に対向する領域では前記カラーフィルタ非形成領域となっており、
前記第２の辺は、前記第１の辺の前記カラーフィルタ形成領域と対向する領域では前記カラーフィルタ非形成領域となっている。
【００２１】
（２）、（１）において、前記カラーフィルタは、前記カラーフィルタ形成領域と前記カラーフィルタ非形成領域とが入れ替わる部分において、前記第１の辺及び前記第２の辺のそれぞれと斜めに交差する形状を有する。
【００２２】
（３）、（１）または（２）において、前記一画素の中において、前記第１の辺及び前記第２の辺の互いに対向する部分同士が共に前記カラーフィルタ非形成領域となっている領域を少なくとも一部有する。
【００２３】
（４）、（１）から（３）の何れかにおいて、前記点灯領域は画素電極の形成領域である。
【００２４】
（５）、（１）から（３）の何れかにおいて、前記点灯領域がブラックマトリクスの開口領域である。
【００２５】
（６）、（１）から（３）の何れかにおいて、前記カラーフィルタが形成されている基板と同じ基板にブラックマトリクスを有する。
【００２６】
（７）、（１）から（３）の何れかにおいて、前記カラーフィルタが形成されている基板に対向する基板にブラックマトリクスを有する。
【００２７】
（８）、（１）から（３）の何れかにおいて、前記カラーフィルタが形成されている基板と同じ基板に、前記画素を選択するためのスイッチング素子を有する。
【００２８】
（９）、（１）から（３）の何れかにおいて、前記カラーフィルタが形成されている基板に対向する基板に、前記画素を選択のためのスイッチング素子を有する。
【００２９】
（１０）、（１）から（３）の何れかにおいて、前記カラーフィルタが形成されている基板には、前記画素を選択するためのスイッチング素子と、該スイッチング素子を介して電圧が供給される画素電極と、少なくとも隣り合う前記画素同士の間を遮光するブラックマトリクスとが形成されている。
【００３０】
（１１）、（１）から（３）の何れかにおいて、前記カラーフィルタが形成されている基板には、前記画素を選択するためのスイッチング素子と、該スイッチング素子を介して電圧が供給される画素電極と、少なくとも隣り合う前記画素同士の間を遮光するブラックマトリクスとが形成されている。
【００３１】
（１２）、（１）から（３）の何れかにおいて、前記カラーフィルタが形成されている基板には、少なくとも隣り合う前記画素同士の間を遮光するブラックマトリクスを有し、
前記カラーフィルタが形成されている基板に対向する基板には、前記画素を選択するためのスイッチング素子と、該スイッチング素子を介して電圧が供給される画素電極とを有する。
【００３２】
（１３）、（１）から（３）の何れかにおいて、透過型の表示を行う。
【００３３】
（１４）、（１）から（３）の何れかにおいて、反射型の表示を行う。
【００３４】
（１５）、（１）から（３）の何れかにおいて、透過型の表示と反射型の表示の両方を行う。
【００３５】
尚、本発明は、以上に列記した構成に限定されず、本発明の技術的思想を逸脱しない範囲で変更が可能である。
【００３６】
【発明の実施の形態】
以下、本発明による液晶表示装置の実施の形態について、実施例の図面を参照して詳細に説明する。図１は本発明による液晶表示装置の第１実施例の構成を説明する一方の基板の模式図であり、図１（ａ）は一画素付近の平面図、図１（ｂ）は図１（ａ）のＡ−Ａ’線に沿った断面図、図１（ｃ）は図１（ａ）のＢ−Ｂ’線に沿った断面図を示す。この液晶表示装置は、ガラス板等の絶縁基板を好適とする一対の基板（一方の基板と他方の基板）を有し、両基板の間に液晶を挟持して構成される。両基板の間隙であるセルギャップはスペーサで規制される。なお、図１では複数色のカラーフィルタＣＦを形成した基板ＳＵＢ１のみを示し、たとえば他方の基板や、両基板の間に封止される液晶層や基板間の間隔を規制するスペーサ、画素電極、対向電極などは図示を省略してある。
【００３７】
この基板ＳＵＢ１上に遮光膜ＢＭ、カラーフィルタＣＦ、オーバーコート層ＯＣがこの順で形成されている。画素のコントラストを向上するため、少なくとも隣り合う画素同士の間を遮光する遮光膜（ブラックマトリクス）ＢＭの内側に、一画素の中で観察者によって視認可能な点灯領域ＢＡを形成している。また、点灯領域ＢＡ内において、カラーフィルタ形成領域ＣＦＡとカラーフィルタ非形成領域ＣＦＮを有している。この、カラーフィルタ非形成領域ＣＦＮから透過する光（白色光）が当該画素の表示光に混合して輝度が向上する。
【００３８】
図２は図１に示した本発明の第１実施例における点灯領域とカラーフィルタのみを抽出して両者の位置関係をさらに詳細に説明する模式平面図である。図１と同一符号は同一部分に対応する。
【００３９】
図１と図２において、横方向を水平方向とし、縦方向を垂直方向としたとき、前記一画素の中における点灯領域ＢＡの垂直方向に延びて左側に位置する第１の辺ＬＳおよび該第１の辺ＬＳに水平方向で対向する垂直方向に延びて右側に位置する第２の辺ＲＳの両方が、それぞれ、カラーフィルタ形成領域ＣＦＡとカラーフィルタ非形成領域ＣＦＮの両方を有している。したがって、図１１に示した従来の技術と比較して、カラーフィルタ非形成領域ＣＦＮの面積を小さくすることができるので、明るすぎることはない。さらに、カラーフィルタＣＦの位置がずれても点灯領域ＢＡ内におけるカラーフィルタ非形成領域ＣＦＮの総面積の変動を最小限にできる。第１の辺ＬＳのカラーフィルタ非形成領域ＬＳＢの長さと、第２の辺ＲＳのカラーフィルタ非形成領域ＲＳＢの長さをほぼ等しくすれば、カラーフィルタＣＦの位置ずれによるカラーフィルタ非形成領域ＣＦＮの面積の変動はほとんど０にできる。
【００４０】
また、第１の辺ＬＳは、上半分がカラーフィルタ形成領域ＬＳＡ（ＣＦＡ）、下半分がカラーフィルタ非形成領域ＬＳＢ（ＣＦＮ）である。これに対して、第２の辺ＲＳでは、カラーフィルタ形成領域ＣＦＡとカラーフィルタ非形成領域ＣＦＮの関係が第１の辺ＬＳと比較して入れ替わっている。すなわち、第２の辺ＲＳでは、下半分がカラーフィルタ形成領域ＲＳＡ（ＣＦＡ）、上半分がカラーフィルタ非形成領域ＲＳＢ（ＣＦＮ）である。
【００４１】
ここで重要なのは、両辺の対向する部分同士が同時にカラーフィルタ形成領域ＣＦＡにならないことである。尚、後に図３において説明するように、互いに対向する第１の辺ＬＳおよび第２の辺ＲＳにおいて、両辺の対向する部分同士が同時にカラーフィルタ非形成領域ＣＦＮになることは妨げない。
【００４２】
言い換えると、第１の辺ＬＳは、第２の辺ＲＳのカラーフィルタ形成領域ＲＳＡに対向する領域ＬＳＢではカラーフィルタ非形成領域ＣＦＮとなっており、第２の辺ＲＳは、第１の辺ＬＳのカラーフィルタ形成領域ＬＳＡと対向する領域ＲＳＢではカラーフィルタ非形成領域ＣＦＮとなっている。尚、ある画素の第１の辺ＬＳとその隣の画素の第２の辺ＲＳとの間の関係も同様になっている。
【００４３】
このような構成により、両辺の対向する部分同士が同時にカラーフィルタ形成領域ＣＦＡにならないため、隣り合うカラーフィルタＣＦ同士の間隔ａを、カラーフィルタ形成の際の合わせずれの精度までつめることができる。さらに、隣り合う点灯領域ＢＡ間の幅（例えば、遮光膜ＢＭの幅）ｂは、隣り合うカラーフィルタＣＦ同士の間隔ａに依存することなく、小さくすることができる。具体的には、この幅ｂは、点灯領域ＢＡを決定付ける構成要素（例えば、遮光膜ＢＭ）と、カラーフィルタＣＦとの間の合わせずれのマージン分だけ確保すれば十分である。なお、この合わせずれは、点灯領域ＢＡを決定付ける構成要素がカラーフィルタと同じ基板上に形成されている場合にはカラーフィルタ形成の際の合わせずれであり、点灯領域ＢＡを決定付ける構成要素とカラーフィルタとが互いに異なる基板上に形成されている場合にはカラーフィルタ形成の際の合わせずれだけでなく、両方の基板を貼り合わせる時の合わせずれの分も加わる。
【００４４】
例えば、画素間に遮光膜ＢＭを形成して区画することによって点灯領域ＢＡを決定付ける場合には、幅狭の遮光膜で済む。
【００４５】
また、隣り合う点灯領域ＢＡ間の幅ｂを小さくできるということは、高精細かつ高開口率を実現できることにつながる。この幅ｂは、隣り合うカラーフィルタＣＦ同士の間隔ａとほぼ同等、あるいはそれより小さくすることも可能である。
【００４６】
なお、カラーフィルタＣＦは、カラーフィルタ形成領域ＬＳＡ，ＲＳＡとカラーフィルタ非形成領域ＬＳＢ，ＲＳＢとが入れ替わる部分において、第１の辺ＬＳ及び第２の辺ＲＳのそれぞれと斜めに交差する形状ＣＲを有する。第１の辺と第２の辺とで形状ＣＲの部分は同じ方向に形成してある。この部分は垂直に交差するようにしても良いが、形成の容易さや隣のカラーフィルタＣＦとのマージンを効率的に確保する観点から斜めに交差するようにした方が望ましい。
【００４７】
図３は本発明による液晶表示装置の第２実施例の構成を説明する図２と同様の模式平面図である。図３中、図１または図２と同一機能部分には同一符号を付してある。本実施例では、互いに対向する第１の辺ＬＳおよび第２の辺ＲＳにおいて、両辺の対向する部分同士が同時にカラーフィルタ非形成領域ＣＦＮになる領域ＣＡが少なくとも一部存在する点で第１実施例と異なる。この領域ＣＡの大きさによって明るさの調整が可能である。この場合でも、両辺の対向する部分同士が同時にカラーフィルタ形成領域ＣＦＡにならない点など、基本的な構成や効果は図２と同様であるため、繰り返しの説明は省略する。
【００４８】
図４は本発明による液晶表示装置の第３実施例の構成を説明する図２と同様の模式平面図である。図４中、図１〜図３と同一機能部分には同一符号を付してある。本実施例は部分透過型の液晶表示装置に本発明を適用したものである。点灯領域ＢＡは、透過型の表示を行う透過領域ＴＢＡと、反射型の表示を行う反射領域ＲＢＡとを有している。例えば、反射膜（反射電極でも良い）の一部に光を透過させる開口を形成することによりこのような透過領域ＴＢＡ、反射領域ＲＢＡを実現できる。本実施例の場合、カラーフィルタ形成領域ＣＦＡ内に透過領域ＴＢＡを設けた。但し、これに限られず、透過領域ＴＢＡの中にカラーフィルタ形成領域ＣＦＡとカラーフィルタ非形成領域ＣＦＮの両方を設けて、透過表示の際の明るさを向上させても良い。
【００４９】
本実施例のような部分透過型の液晶表示装置で例えば反射型の表示を行う場合を考えると、反射領域ＲＢＡは点灯領域ＢＡの面積よりも小さくなっているため、反射領域ＲＢＡ内のカラーフィルタ非形成領域ＣＦＮの総面積の変化に対する明るさの変化の割合が大きい。したがって、例えば図１１の従来の例のように点灯領域の第１の辺ＬＳと第２の辺ＲＳの全てがカラーフィルタ非形成領域ＣＦＮになっている場合は、明るくなりすぎてしまう。これに対して、本実施例では第１の辺ＬＳおよび第２の辺ＲＳの一部をカラーフィルタ形成領域ＣＦＡ（ＬＳＡ，ＲＳＡ）としているため、明るくなりすぎることはなく、色再現性が良い。その他、高精細、高開口率にできる点などはこれまで説明した各実施例と同様であるため繰り返しの説明は省略する。
【００５０】
図５は本発明による液晶表示装置の第４実施例の構成を説明する一方の基板の模式図であり、図５（ａ）は一画素付近の平面図、図５（ｂ）は図５（ａ）のＡ−Ａ’線に沿った断面図、図５（ｃ）は図５（ａ）のＢ−Ｂ’線に沿った断面図を示す。本実施例は、第１の辺ＬＳと斜めに交差する形状ＣＲを２つ設けたものである。この形状ＣＲの傾斜方向は同一辺で逆となっている。第２の辺ＲＳについても形状ＣＲを２つ設けている。他の構成や効果はこれまで説明した各実施例と同様なので繰り返しの説明は省略する。
【００５１】
図６は本発明による液晶表示装置の第５実施例の構成を説明する模式平面図である。本実施例のように、形状ＣＲは１つの辺あたりいくつ設けてもよい。
【００５２】
また、本実施例では、互いに対向する上側の辺と下側の辺についてもこれまで説明した各実施例と同様の構成にしてある。これにより、図の上下方向についても高精細化が可能となる。他の構成や効果はこれまで説明した各実施例と同様なので繰り返しの説明は省略する。
【００５３】
図７は本発明による液晶表示装置の第６実施例の構成を説明する模式図であり、図７（ａ）は平面図、図７（ｂ）は図７（ａ）のＡ−Ａ’線に沿った断面図を示す。本実施例では、より実際の液晶表示装置に近い構成を説明する。本実施例は、第１の基板ＳＵＢ１側にスイッチング素子として薄膜トランジスタＴＦＴを設け、第２の基板ＳＵＢ２側にカラーフィルタＣＦおよび遮光膜ＢＭを形成したものに本発明を適用したものである。第１の基板ＳＵＢ１に形成した薄膜トランジスタＴＦＴは画素電極ＰＸを駆動して第２の基板ＳＵＢ２に有する対向電極ＩＴＯとの間に電界を形成する。なお、両基板の間の間隔はスペーサＳＰＣで規制される。
【００５４】
カラーフィルタＣＦおよび遮光膜ＢＭは第２の基板ＳＵＢ２に形成されており、その構成は符号ＳＵＢ１とＳＵＢ２が入れ替わっていること以外は図１および図２で説明した実施例と基本的に同様である。尚、薄膜トランジスタＴＦＴを覆うように遮光膜ＢＭを形成している。他の構成や効果はこれまで説明した各実施例と同様なので繰り返しの説明は省略する。
【００５５】
図８は本発明による液晶表示装置の第７実施例の構成を説明する模式図であり、図８（ａ）は平面図、図８（ｂ）は図８（ａ）のＢ−Ｂ’線に沿った断面図を示す。本実施例では、第１の基板ＳＵＢ１にスイッチング素子である薄膜トランジスタＴＦＴとカラーフィルタＣＦおよび遮光膜ＢＭが形成されている。第２の基板ＳＵＢ２には対向電極ＩＴＯが形成されている。
【００５６】
カラーフィルタＣＦは第１の基板ＳＵＢ１に有する画素電極ＰＸ上に形成され、そのカラーフィルタ形成領域ＣＦＡとカラーフィルタ非形成領域ＣＦＮの形状は図１と同様である。他の構成や効果はこれまで説明した各実施例と同様なので繰り返しの説明は省略する。
【００５７】
尚、薄膜トランジスタＴＦＴと画素電極ＰＸと遮光膜ＢＭとを第１の基板ＳＵＢ１側に形成し、カラーフィルタＣＦを第２の基板ＳＵＢ２側に形成しても良い（図示せず）。
【００５８】
なお、本発明は、上記した各実施例を組み合わせて構成することもできる。また、上記では縦電界方式（ＴＮ方式）の液晶表示装置に本発明を適用したものを主として説明したが、所謂横電界方式（ＩＰＳ方式）の液晶表示装置にも同様に適用することがでる。この場合、対向電極ＩＴＯは画素電極ＰＸと同じ基板に形成する。
【００５９】
また、本発明は、遮光膜ＢＭがないものに対して適用しても良い。
【００６０】
本発明は、液晶表示装置の画面を観察者から見たときに、画素領域が遮光膜ＢＭで覆われている液晶表示装置の場合は該遮光膜ＢＭの開口領域が点灯領域ＢＡとなり、遮光膜ＢＭがない場合は画素電極ＰＸが形成されている領域が点灯領域ＢＡに相当する。但し、横電界方式（ＩＰＳ方式）の場合は画素電極ＰＸの形成領域だけでなく、その周囲の横電界により液晶が駆動されて表示に寄与している部分も点灯領域ＢＡとなる。さらに、反射型や部分透過型などで遮光膜ＢＭがあっても画素電極ＰＸと反射膜の役割を兼ねる反射電極などにより該遮光膜ＢＭが隠されているものでは、反射電極のある領域よりも内側が点灯領域ＢＡに相当する。尚、部分透過型の場合は、反射電極の開口部である透過領域ＴＢＡもこの点灯領域ＢＡに含まれる。
【００６１】
また、本発明における液晶表示装置は、各実施例で説明したような薄膜トランジスタＴＦＴなどのスイッチング素子で画素を選択するものに限らず、単純マトリクス型の液晶表示装置にも同様に適用できるものであることは言うまでもない。このように、各実施例で説明した液晶表示装置により、カラーで見易い画面表示を得ることが出来る。
【００６２】
【発明の効果】
以上説明したように、本発明によれば、点灯領域内のカラーフィルタ非形成領域の大きさを大きくしすぎることなく、カラーフィルタの位置がずれても点灯領域内におけるカラーフィルタ非形成領域の総面積の変動を最小限にでき、隣り合う点灯領域同士の間隔をつめることができる（例えば、画素間に遮光膜を形成する場合でも幅狭の遮光膜で済む）、高精細かつ高開口率を実現した液晶表示装置を提供できる。
【図面の簡単な説明】
【図１】本発明による液晶表示装置の第１実施例の構成を説明する一方の基板の模式図である。
【図２】図１に示した本発明の第１実施例における点灯領域とカラーフィルタのみを抽出して両者の位置関係をさらに詳細に説明する模式平面図である。
【図３】本発明による液晶表示装置の第２実施例の構成を説明する図２と同様の模式平面図である。
【図４】本発明による液晶表示装置の第３実施例の構成を説明する図２と同様の模式平面図である。
【図５】本発明による液晶表示装置の第４実施例の構成を説明する一方の基板の模式図である。
【図６】本発明による液晶表示装置の第５実施例の構成を説明する模式平面図である。
【図７】本発明による液晶表示装置の第６実施例の構成を説明する模式図である。
【図８】本発明による液晶表示装置の第７実施例の構成を説明する模式図である。
【図９】従来の液晶表示装置の一画素付近の構成を説明する模式図である。
【図１０】従来の反射型液晶表示装置の画素構造を説明する模式平面図である。
【図１１】従来の液晶表示装置の他の画素構造を説明する模式平面図である。
【図１２】従来の液晶表示装置のさらに他の画素構造を説明する模式平面図である。
【符号の説明】
ＳＵＢ１    基板
ＳＵＢ２    基板
ＬＣ    液晶層
ＯＣ    オーバーコート層
ＰＸ    画素電極
ＩＴＯ    対向電極
ＣＦ    カラーフィルタ
ＣＦＡ    カラーフィルタ形成領域
ＣＦＮ    カラーフィルタ非形成領域
ＢＡ    点灯領域
ＴＢＡ    透過領域
ＲＢＡ    反射領域
ＬＳ    第１の辺
ＬＳＡ    第１の辺のカラーフィルタ形成領域
ＬＳＢ    第１の辺のカラーフィルタ非形成領域
ＲＳ    第２の辺
ＲＳＡ    第２の辺のカラーフィルタ形成領域
ＲＳＢ    第２の辺のカラーフィルタ非形成領域
ＣＲ    辺と交差する形状
ＢＭ    遮光膜（ブラックマトリクス）
ＳＰＣ    スペーサ。
【図１】
2004286787.tif 000003
【図２】
2004286787.tif 000004
【図３】
2004286787.tif 000005
【図４】
2004286787.tif 000006
【図５】
2004286787.tif 000007
【図６】
2004286787.tif 000008
【図７】
2004286787.tif 000009
【図８】
2004286787.tif 000010
【図９】
2004286787.tif 000011
【図１０】
2004286787.tif 000012
【図１１】
2004286787.tif 000013
【図１２】
2004286787.tif 000014